(57)【特許請求の範囲】
【請求項１】
山部（１ａ・１ｂ）と谷部（２）とを有する金属屋根材（３）と、
隣接する金属屋根材（３・３）の両端の山部（１ａ・１ｂ）どうしの平坦面部分を上下に重ねた状態で締結するために、両山部（１ａ・１ｂ）の外側上方からねじ込まれるセルフドリリングビス（５）と、
セルフドリリングビス（５）の軸（９）にこれの先端の切れ刃（１０）側からそれぞれ挿嵌され、上側に位置する一方の金属屋根材（３）の山部（１ａ）の平坦面部分とセルフドリリングビス（５）のビス頭（１１）との間に介在するパッキン（６）および座金（７）と、
一方の金属屋根材（３）の山部（１ａ）の平坦面部分と座金（７）の外周縁部（７ａ）との間に挟持される下壁（１５）を有し、下壁（１５）の外周に立壁（１６）が立ち上げ形成され、立壁（１６）の上端に外向きの係止部（１９）を有するキャップ受け（１２）と、
各ビス頭（１１）ごとに座金（７）およびキャップ受け（１２）を含めてこれらの外周囲を個別に覆うために、上方から被せ付けられるキャップ（１３）とを備えており、
キャップ（１３）は、下面が開口するドーム状に形成されたキャップ本体（２０）と、キャップ本体（２０）の下端外周に張り出し形成された環状鍔（２１）と、キャップ本体（２０）の内面の下端側に設けられて前記キャップ受け（１２）の係止部（１９）に上方へは抜け止め状に係合する止め部（２２）とを有する金属屋根材の締結構造。
【請求項２】
キャップ受け（１２）が、円環状の下壁（１５）と、下壁（１５）の外周につながる円筒状の立壁（１６）と、立壁（１６）の上端周縁から外向きに突出する係止部（１９）とを含む請求項１記載の金属屋根材の締結構造。
【請求項３】
一方の金属屋根材（３）の山部（１ａ）の平坦面部分と、キャップ（１３）の環状鍔（２１）との間に、防水パッキン（２３）が介在している請求項１または２記載の金属屋根材の締結構造。
【請求項４】
山部（１ａ・１ｂ）と谷部（２）とを有する金属屋根材（３）と、
隣接する金属屋根材（３・３）の両端の山部（１ａ・１ｂ）どうしの平坦面部分を上下に重ねた状態で締結するために、両山部（１ａ・１ｂ）の外側上方からねじ込まれるセルフドリリングビス（５）と、
セルフドリリングビス（５）の軸（９）にこれの先端の切れ刃（１０）側からそれぞれ挿嵌され、上側に位置する一方の金属屋根材（３）の山部（１ａ）の平坦面部分とセルフドリリングビス（５）のビス頭（１１）との間に介在するパッキン（６）および金属製の座金（７）と、
座金（７）と一体に形成されて、中凸状の座金（７）の外周に立ち上げ形成された立壁（１６）と、立壁（１６）の上端に設けられた外向きの係止部（１９）とを有する金属製のキャップ受け（１２）と、
各ビス頭（１１）ごとに座金（７）およびキャップ受け（１２）を含めてこれらの外周囲を個別に覆うために、上方から被せ付けられるキャップ（１３）とを備えており、
キャップ（１３）は、下面が開口するドーム状に形成されたキャップ本体（２０）と、キャップ本体（２０）の下端外周に張り出し形成された環状鍔（２１）と、キャップ本体（２０）の内面の下端側に設けられて前記キャップ受け（１２）の係止部（１９）に上方へは抜け止め状に係合する止め部（２２）とを有する金属屋根材の締結構造。
【請求項５】
キャップ受け（１２）が、座金（７）の円形外周縁につながる円筒状の立壁（１６）と、立壁（１６）の上端周縁から外向きに折り曲げ形成された係止部（１９）とを含む請求項４記載の金属屋根材の締結構造。
【請求項６】
キャップ受け（１２）が、中凸状の座金（７）の円形外周縁部（７ａ）に水平状につながる円環状の下壁（１５）と、下壁（１５）から立ち上がる立壁（１６）と、立壁（１６）の上端に設けられた係止部（１９）とを含み、
キャップ受け（１２）の下壁（１５）と、一方の金属屋根材（３）の山部（１ａ）の平坦面部分との間に、防水パッキン（２３）が介在している請求項４記載の金属屋根材の締結構造。  
【発明の詳細な説明】
【０００１】
【発明の属する技術分野】
本発明は、隣接する金属屋根材の両端の山部どうしを上下に重ね、該当の山部どうしを、上方からねじ込まれるセルフドリリングビスでパッキンおよび座金を介して締結する金属屋根材の締結構造に関する。
【０００２】
【従来の技術】
この種の屋根構造において、金属屋根材上にセルフドリリングビスのビス頭および座金が露出したままだと、外観上の体裁もさることながら、ビス頭および座金が錆付き、耐久性に劣る。
【０００３】
この基本的な命題を解決するために、特許文献１では、各ビス頭ごとに座金を含めてこれらの外周囲を個別に覆う伏椀状のキャップを上方から被せ付けることが開示されている。
【０００４】
【特許文献１】
実開昭５２−９１６１５号公報（明細書の第５〜第６頁、第３図）
【０００５】
問題は、金属屋根材上にキャップをいかにして止め付けるにある。この点、特許文献１では、キャップの下端外周に環状鍔を張り出し形成し、この環状鍔の下面に粘着剤層を塗布形成しておき、上側に位置する一方の金属屋根材の山部の平坦面上に、キャップの環状鍔を前記粘着剤層を介して止め付けている。なお、粘着剤層は剥離紙で保護しておき、キャップの装着時に剥離紙を剥離している。
【０００６】
しかし、粘着剤層でキャップを取り付ける従来形式では、粘着剤層これ自体の経時的劣化も加わり、経年使用でキャップが外れ易い。セルフドリリングビスで強く締め過ぎた場合、座金で金属屋根材の山部に凹み変形を生じることがあり、山部は必ずしも平坦面に確保されていないので、先の粘着剤層では防水パッキンの機能まで担持し切れない。
【０００７】
そのため、ビス頭と座金が雨水で錆付いて、最終的にビス止め部からの漏水につながり易い。これを防止するために、従来はセルフドリリングビスや座金をステンレス製にして耐久性アップを図らざるを得ず、材料コスト高を招いていた。
【０００８】
そこで本発明の目的は、セルフドリリングビスのビス頭まわりを個別に覆うキャップが先の座金と関連付けて容易確実に止め付けられるようにすることにある。本発明の目的は、装着したキャップでビス止め部に雨水が入り込むのを確実に防止することにある。
【０００９】
【課題を解決するための手段】
本発明は、図２に示すごとく、隣接する金属屋根材３・３の両端の山部１ａ・１ｂどうしを上下に重ね、該当の山部１ａ・１ｂどうしを、上方からねじ込まれるセルフドリリングビス５でパッキン６および座金７を介して締結する金属屋根材の締結構造において、図１に示すごとくセルフドリリングビス５のビス頭１１の外周囲を個別に覆うために、上方から被せ付けられるキャップ１３を備えており、キャップ１３が、前記座金７にキャップ受け１２を介して上方へは抜け止め状に止め付けられていることを特徴とする。その際、キャップ１３の下端周縁は、上側に位置する一方の金属屋根材３の山部１ａの平坦面部分に、防水パッキン２３を介して着座させることができる。ここでのキャップ受け１２は、座金７と別体の部材であってもよいし、座金７と一体に形成されていてもよい。
【００１０】
更に具体的に説明すると、本発明に係る金属屋根材の締結構造は、図１および図３に示すごとく、山部１ａ・１ｂと谷部２とを有する金属屋根材３と、隣接する金属屋根材３・３の両端の山部１ａ・１ｂどうしの平坦面部分を上下に重ねた状態で締結するために、両山部１ａ・１ｂの外側上方からねじ込まれるセルフドリリングビス５と、セルフドリリングビス５の軸９にこれの先端の切れ刃１０側からそれぞれ挿嵌され、上側に位置する一方の金属屋根材３の山部１ａの平坦面部分とセルフドリリングビス５のビス頭１１との間に介在するパッキン６および座金７と、一方の金属屋根材３の山部１ａの平坦面部分と座金７の外周縁部７ａとの間に挟持される下壁１５を有し、下壁１５の外周に立壁１６が立ち上げ形成され、立壁１６の上端に外向きの係止部１９を有するキャップ受け１２と、各ビス頭１１ごとに座金７およびキャップ受け１２を含めてこれらの外周囲を個別に覆うために、上方から被せ付けられるキャップ１３とを備えている。そのうえで、キャップ１３は、下面が開口するドーム状に形成されたキャップ本体２０と、キャップ本体２０の下端外周に張り出し形成された環状鍔２１と、キャップ本体２０の内面の下端側に設けられて前記キャップ受け１２の係止部１９に上方へは抜け止め状に係合する止め部２２とを有する。
【００１１】
そのキャップ受け１２は、図４に示すごとく円環状の下壁１５と、下壁１５の外周につながる円筒状の立壁１６と、立壁１６の上端周縁から外向きに突出する係止部１９とを含む。そして、一方の金属屋根材３の山部１ａの平坦面部分と、キャップ１３の環状鍔２１との間には、図１に示すごとく防水パッキン２３を介在させることができる。
【００１２】
また、本発明は、図６および図７に示すごとく座金７とキャップ受け１２とを一体に形成する形態を含む。その場合のキャップ受け１２は、金属製の座金７と一体に形成されて、中凸状の座金７の外周に立ち上げ形成された立壁１６と、立壁１６の上端に設けられた外向きの係止部１９とを有し、この係止部１９に前記キャップ１３の止め部２２が上方へは抜け止め状に係合するようになっている。そこでのキャップ受け１２は、座金７の円形外周縁につながる円筒状の立壁１６と、立壁１６の上端周縁から外向きに折り曲げ形成された係止部１９とを含む形態にできる。
【００１３】
また、キャップ受け１２は、図８に示すごとく中凸状の座金７の円形外周縁部７ａに水平状につながる円環状の下壁１５と、下壁１５から立ち上がる立壁１６と、立壁１６の上端に設けられた係止部１９とを含み、キャップ受け１２の下壁１５と、一方の金属屋根材３の山部１ａの平坦面部分との間に、防水パッキン２３が介在する形態を採ることもできる。
【００１４】
【発明の作用効果】
本発明によれば、隣接する金属屋根材３・３の山部１ａ・１ｂどうしをセルフドリリングビス５でパッキン６および座金７を介してねじ締結する際に、座金７に関連付けてキャップ受け１２が固定されており、キャップ１３はこのキャップ受け１２に上方から被せ付けて抜け止め状に保持する仕様とした。従って、キャップ１３を被せ付けて止める作業が手軽にかつ強固に行える。
【００１５】
キャップ１３を被せ付けた状態において、キャップ１３の下端周縁が、上側に位置する一方の金属屋根材３の山部１ａの平坦面部分に防水パッキン２３を介して着座していると、防水パッキン２３でキャップ１３の内部、つまりねじ締結箇所に雨水が侵入するのを確実に防止でき、漏水対策を良好に図れる。このことは、ビス頭１１や座金７を防錆性のステンレス材で形成せずとも済むことを意味し、材料コストの面で安価に屋根を葺くことができる。
【００１６】
座金７とキャップ受け１２とが一体に形成されていると、その分だけ部材点数が減り、安価に製造できるとともに、屋根の構築も手際良く行える。その際、キャップ受け１２が中凸状の座金７の円形外周縁部７ａに水平状につながる円環状の下壁１５を含み、この下壁１５と金属屋根材３の山部１ａの平坦面部分との間に防水パッキン２３が介在していると、セルフドリリングビス５の締結時に座金７を介して防水パッキン２３が圧縮された状態で介在するので、ねじ締結箇所への雨水の侵入防止に更なる確実性を期すことができる。
【００１７】
【発明の実施の形態】
図２において、図示例の屋根は、屋根下地（母屋）Ａに折版屋根パネルＰを左右方向に重ね継ぐ形式である。折版屋根パネルＰは、山部１ａ・１ｂと谷部２とを有して外側に位置する塗装鋼板製の金属屋根材３を備えており、これの内部に断熱材４が一体化されている。そして折版屋根パネルＰは、隣接する金属屋根材３・３の左右両端の山部１ａ・１ｂの平坦面どうしを上下に重ね、該当の山部１ａ・１ｂの平坦面どうしが、外側上方からねじ込まれるセルフドリリリングビス５で中凸状の座金７およびパッキン６を介して締結される。
【００１８】
セルフドリリングビス５は、長尺の軸９の先端に切れ刃１０を有し、この切れ刃１０側から金属屋根材３・３の両山部１ａ・１ｂの平坦面部分、断熱材４、ついで屋根下地Ａにねじ込まれ、上側に位置する一方の金属屋根材３の山部１ａの平坦面部分と、セルフドリリングビス５のビス頭１１との間に、弾性を有するパッキン６および金属製の座金７が介在する。すなわち、セルフドリリングビス５をねじ込んだ締結状態において、ビス頭１１が座金７を介してパッキン６を圧縮し、山部１ａ・１ｂに明けたねじ穴から雨水が内部に侵入するのをパッキン６で塞いでいる。
【００１９】
（実施例１）  図１ないし図４は、本発明の実施例１を示しており、前記座金７とは別体のキャップ受け１２と、各ビス頭１１ごとに座金７およびキャップ受け１２を含めてこれらの外周囲を個別に覆うキャップ１３とを備えている。
【００２０】
キャップ受け１２はプラスチック成形品であって、円環状の下壁１５と、この下壁１５の外周から立ち上げ連設された円筒状の立壁１６とを有する深皿状に形成されている。下壁１５の中央にパッキン６が嵌合する円形の抜き孔１７を有し、立壁１６の上端周縁に下向きの係止面を持つ係止部１９が外側下方に向けて形成されている。
【００２１】
キャップ１３は、下面が開口する円形のドーム（伏椀）状に形成されたキャップ本体２０と、キャップ本体２０の下端外周に張り出し形成された円形の環状鍔２１とを有するプラスチック成形品である。キャップ本体２０の内面の下端側には、上向きの係止面を持つ止め部２２が四等分点位置において内向きに突設されている。
【００２２】
図３においてセルフドリリングビス５には、これの軸９に先端の切れ刃１０側から座金７、キャップ受け１２ついでパッキン６を順に挿嵌したのち、該ビス５を前述の要領でねじ込むことになる。この締結状態において、キャップ受け１２の下壁１５は、金属屋根材３の山部１ａの平坦面部分と、座金７の外周縁部７ａとの間に挟持されている。
【００２３】
次に、セルフドリリングビス５の各締結箇所において、ビス頭１１の外側上方からリング状の防水パッキン２３ついでキャップ１３を上方から被せ付ける。その際、キャップ１３の環状鍔２１の下面に予め防水パッキン２３を接着剤で仮止めしておくことができる。キャップ１３を下向きに押し込むと、キャップ１３の止め部２２がキャップ受け１２の係止部１９を乗り越えて、止め部２２の上向き係止面が係止部１９の下向き係止面に上方へは抜け止め状に係合する。この係合には、キャップ１３およびキャップ受け１２の双方もしくは少なくとも一方の部分的な弾性変形を利用しており、その弾性復元力で確りと抜け止め状に係合状態が維持される。
【００２４】
前述の要領でキャップ１３を被せ付けてキャップ受け１２に止め付けた状態において、一方の金属屋根材３の山部１ａの平坦面部分と、キャップ１３の環状鍔２１との間には、弾性を有する防水パッキン２３が圧縮下で介在し、この防水パッキン２３でキャップ１３内のねじ締結箇所に雨水が外部から侵入するのを防止する。
【００２５】
（実施例１の別実施態様例）  図５の（ａ）、（ｂ）、（ｃ）は実施例１のキャップ１３の形状に関する別実施態様例を示す。すなわち、図５（ａ）のキャップ本体２０は断面円錐形状に、図５（ｂ）のキャップ本体２０は台形（截頭円錐形）状に、図５（ｃ）のキャップ本体２０は直筒状の周側壁と、平坦状の円形上壁とを有する形状にそれぞれ形成されている。このようにキャップ１３の形状は任意に選択できる。
【００２６】
（実施例２）  図６および図７は本発明の実施例２を示しており、キャップ受け１２が金属製の座金７と一体に形成されている点が先の実施例１と異なる。
【００２７】
実施例２のキャップ受け１２は、中凸状に形成された座金７の平坦状の円形外周縁部７ａから上向きに折り曲げ連出した立壁１６と、立壁１６の上端周縁から外向きに折り曲げ連出した係止部１９とからなる。ここでの立壁１６は、図７に示すごとく４箇所に片として折り曲げ形成されており、キャップ１３側の止め部２２は周回状に形成されている。その他の構成は実施例１と実質的に同様であり、同一の部材には同一の符号を付して説明を省略する。
【００２８】
（実施例３）  図８は実施例２に更なる変更を加えた本発明の実施例３を示す。この場合のキャップ受け１２は、中央が中凸状に形成された座金７の円形外周縁部７ａに水平状につながる円環状の下壁１５と、この下壁１５から立ち上がる円筒状の立壁１６と、立壁１６の上端周縁から外側下方に向けて折り曲げ連出された係止部１９とからなる。かくして、下壁１５の下面にリング状の防水パッキン２３を付設する。
【００２９】
実施例３によれば、隣接する金属屋根材３の山部１ａ・１ｂどうしをセルフドリリングビス５でパッキン６および座金７を介して締結したとき、一方の金属屋根材３の山部１ａの平坦面部分と、キャップ受け１２の下壁１５との間に、防水パッキン２３が圧縮下で介在し、防水パッキン２３でねじ締結箇所に雨水が侵入するのを防止する。キャップ１３を被せ付けたとき、これの下端の環状鍔２１は前記下壁１５の上面で受け止められる。この環状鍔２１と下壁１５との間に、更なる防水パッキンを介在させるかどうかは任意である。その他の構成は実施例１と実質的に同じであるから同一部材には同一符号を用いて説明を省略する。
【００３０】
なお、実施例３において座金７にキャップ受け１２を一体化するについては、座金７の円形外周縁部７ａにキャップ受け１２の下壁１５の内周縁を溶接する。または、座金７の円形外周縁部７ａに下壁１５を一体に延長形成し、立壁１６の下端を下壁１５上に溶接する。もしくは、座金７の円形外周縁部７ａに下壁１５を一体に延長形成して下壁１５上に折り返し、更に立壁１６を上向きに折り曲げ形成することなどが考えられる。
【００３１】
本発明が対象とする金属屋根材３は、図示例のごとく折版屋根パネルＰになっていなくてもよい。キャップ１３はステンレス材で成形されていてもよい。例えば、先の実施例１において係止部１９は切り起こし形成されていてもよいし、外向きに膨出するよう打ち出し形成されていてもよい。また、実施例１においてキャップ受け１２は、下壁１５が抜き孔１７を有する長方形状に形成されており、下壁１５の両端から立壁１６が立ち上げ形成されていてもよい。
【図面の簡単な説明】
【図１】実施例１の要部の縦断正面図
【図２】実施例１の概略縦断正面図
【図３】実施例１の構成部材を分解状態で示す縦断正面図
【図４】実施例１の構成部材を分解状態で示す斜視図
【図５】図５（ａ）・（ｂ）・（ｃ）は実施例１のそれぞれ異なる別実施態様例を示す縦断正面図
【図６】実施例２の縦断正面図
【図７】実施例２の構成部材を分解状態で示す斜視図
【図８】実施例３の縦断正面図
【符号の説明】
１ａ・１ｂ  金属屋根材の山部
２  金属屋根材の谷部
３  金属屋根材
５  セルフドリリングビス
６  パッキン
７  座金
７ａ  座金の外周縁部
１１  セルフドリリングビスのビス頭
１２  キャップ受け
１３  キャップ
１５  キャップ受けの下壁
１６  キャップ受けの立壁
１９  キャップ受けの係止部
２０  キャップ本体
２１  キャップの環状鍔
２２  キャップの止め部
２３  防水パッキン
【図１】
0003718507.tif 000002
【図２】
0003718507.tif 000003
【図３】
0003718507.tif 000004
【図４】
0003718507.tif 000005
【図５】
0003718507.tif 000006
【図６】
0003718507.tif 000007
【図７】
0003718507.tif 000008
【図８】
0003718507.tif 000009